(57)【特許請求の範囲】
【請求項１】
見込み方向の中間部に下方に突出する中間レールが設けられ、中間レールの室外側に外障子が配置され室内側に内障子が配置された上枠と、
前記中間レールの室内側に設けられた樹脂カバーと、を有するサッシにおいて、
前記上枠の下側で閉鎖状態の前記内障子の召合せ框の位置の直上に設けられた風止め板を有し、
前記樹脂カバーは、前記中間レールの室内側の面および先端部分を覆う中間レールカバー部を有し、
前記内障子は、召合せ框または上框の前記召合せ框近傍に室外側に突出するように設けられた第１振れ止め部材を有し、
該第１振れ止め部材は、前記内障子が開閉する際に前記中間レールカバー部に当接し、
前記風止め板は、前記樹脂カバーと連続するように設けられているとともに、前記中間レールカバー部の室内側の面と連続し前記第１振れ止め部材が当接する面が形成されていることを特徴とするサッシ。
【請求項２】
見込み方向の中間部に下方に突出する中間レールが設けられ、中間レールの室外側に外障子が配置され室内側に内障子が配置された上枠と、
前記中間レールの室内側に設けられた樹脂カバーと、を有するサッシにおいて、
前記樹脂カバーは、前記中間レールの室内側の面および先端部分を覆う中間レールカバー部を有し、
前記内障子は、召合せ框または上框の前記召合せ框近傍に室外側に突出するように設けられた第１振れ止め部材を有し、
該第１振れ止め部材は、前記内障子が開閉する際に前記中間レールカバー部に当接し、
前記内障子は、縦框または前記上框の前記縦框近傍に室外側に突出するように設けられた第２振れ止め部材を有し、
該第２振れ止め部材は、前記縦框または前記上框からの突出寸法が、前記第１振れ止め部材の前記召合せ框または上框からの突出寸法よりも大きく、前記中間レールと当接することを特徴とするサッシ。
【発明の詳細な説明】
【技術分野】
【０００１】
本発明は、引違窓に用いられるサッシに関する。
【背景技術】
【０００２】
従来、見込み方向の中間部に下方に突出する中間レールが設けられ、中間レールの室外側に外障子が配置され室内側に内障子が配置される上枠と、上枠の下側で中間レールの室内側に設けられた樹脂カバーと、を有するサッシが知られている（例えば、特許文献１参照）。
中間レールは、先端部分（下端部分）に内障子の上部に設けられた振れ止め部材が当接するように構成され、内障子が振れずにスムーズに開閉するためガイドとなっている。
樹脂カバーは、上枠の結露を抑制するために設けられている。
【先行技術文献】
【特許文献】
【０００３】
【特許文献１】特許第５６０８９１０号公報
【発明の概要】
【発明が解決しようとする課題】
【０００４】
しかしながら、中間レールの先端部分は、内障子がスムーズに開閉するためのガイドとなるため、樹脂カバーで覆うことができず、結露が生じることがある。
【０００５】
そこで、本発明では、内障子がスムーズに開閉できるとともに上枠の結露を抑制することができるサッシを提供することを目的とする。
【課題を解決するための手段】
【０００６】
上記目的を達成するため、本発明に係るサッシは、見込み方向の中間部に下方に突出する中間レールが設けられ、中間レールの室外側に外障子が配置され室内側に内障子が配置された上枠と、前記中間レールの室内側に設けられた樹脂カバーと、を有するサッシにおいて、前記上枠の下側で閉鎖状態の前記内障子の召合せ框の位置の直上に設けられた風止め板を有し、前記樹脂カバーは、前記中間レールの室内側の面および先端部分を覆う中間レールカバー部を有し、前記内障子は、召合せ框または上框の前記召合せ框近傍に室外側に突出するように設けられた第１振れ止め部材を有し、該第１振れ止め部材は、前記内障子が開閉する際に前記中間レールカバー部に当接し、前記風止め板は、前記樹脂カバーと連続するように設けられているとともに、前記中間レールカバー部の室内側の面と連続し前記第１振れ止め部材が当接する面が形成されていることを特徴とする。
【０００７】
本発明では、樹脂カバーが中間レールの室内側と先端部分を覆う中間レールカバー部を有することにより、中間レールが冷やされた場合もその冷たい温度が室内側に伝達されることが抑制されるため、上枠の結露を抑制することができる。
また、第１振れ止め部材は、内障子が開閉する際に中間レールカバー部に当接していることにより、中間レールが中間レールカバー部に覆われていても、中間レールカバー部が内障子の開閉をガイドすることができる。このため、内障子をスムーズに開閉することができる。
なお、第１振れ止め部材は、開閉移動の際に、中間レールカバー部とわずかな隙間を空けた近接状態となってもよい。
また、本発明に係るサッシでは、上枠の下側で閉鎖状態の内障子の召合せ框の位置の直上に設けられた風止め板を有していて、風止め板は、樹脂カバーと連続するように設けられているとともに、中間レールカバー部の室内側の面と連続し第１振れ止め部材が当接する面が形成されている。
このような構成とすることにより、内障子が開閉する際に、第１振れ止め部材が樹脂カバーや風止め部材の端部に引っ掛かることなくスムーズに移動することができる。
【０００８】
また、本発明に係るサッシは、見込み方向の中間部に下方に突出する中間レールが設けられ、中間レールの室外側に外障子が配置され室内側に内障子が配置された上枠と、前記中間レールの室内側に設けられた樹脂カバーと、を有するサッシにおいて、前記樹脂カバーは、前記中間レールの室内側の面および先端部分を覆う中間レールカバー部を有し、前記内障子は、召合せ框または上框の前記召合せ框近傍に室外側に突出するように設けられた第１振れ止め部材を有し、該第１振れ止め部材は、前記内障子が開閉する際に前記中間レールカバー部に当接し、前記内障子は、縦框または前記上框の前記縦框近傍に室外側に突出するように設けられた第２振れ止め部材を有し、該第２振れ止め部材は、前記縦框または前記上框からの突出寸法が、前記第１振れ止め部材の前記召合せ框または上框からの突出寸法よりも大きく、前記中間レールと当接することを特徴とする。
本発明では、樹脂カバーが中間レールの室内側と先端部分を覆う中間レールカバー部を有することにより、中間レールが冷やされた場合もその冷たい温度が室内側に伝達されることが抑制されるため、上枠の結露を抑制することができる。
また、第１振れ止め部材は、内障子が開閉する際に中間レールカバー部に当接していることにより、中間レールが中間レールカバー部に覆われていても、中間レールカバー部が内障子の開閉をガイドすることができる。このため、内障子をスムーズに開閉することができる。
なお、第１振れ止め部材は、開閉移動の際に、中間レールカバー部とわずかな隙間を空けた近接状態となってもよい。
第２振れ止め部材は、内障子が開閉する際に中間レールに当接していることにより、中間レールが内障子の開閉をガイドすることができる。このため、内障子をスムーズに開閉することができる。
なお、第２振れ止め部材は、開閉移動の際に、中間レールとわずかな隙間を空けた近接状態となってもよい。
【発明の効果】
【００１０】
本発明によれば、内障子がスムーズに開閉できるとともに上枠の結露を抑制することができる。
【図面の簡単な説明】
【００１１】
【図１】本発明の実施形態によるサッシの一例を示す水平断面図である。
【図２】開口状態の内障子を説明する図である。
【図３】図２のＡ−Ａ線断面図である。
【図４】図１のＢ−Ｂ線断面図の上部側を示す図である。
【図５】図１のＣ−Ｃ線断面図の上部側を示す図ある。
【図６】図１のＤ−Ｄ線断面図の上部側を示す図である。
【図７】風止め板の斜視図である。
【図８】風止め板、上枠および樹脂カバーの配置を説明する斜視図である。
【図９】内障子を室外側から見た図である。
【図１０】図２のＥ−Ｅ線断面図である。
【発明を実施するための形態】
【００１２】
以下、本発明の実施形態によるサッシについて、図１乃至図１０に基づいて説明する。
図１乃至図３に示すように、本実施形態によるサッシ１は、建物の室外側１１と室内側１２とを仕切る壁部に形成された開口部に設置される引違サッシで、壁部に固定された枠体２と、枠体２の内側に配置される外障子３および内障子４と、を有している。
見付け方向のうち、開口部を閉鎖するサッシ１の外障子３が配置される側（室内側１２から見た左側）を見付け方向一方側とし、内障子４が配置される側（室内側１２から見た右側）を見付け方向他方側とする。また、内障子４が枠体２の内側において、図２に示すように、見付け方向一方側に移動し開口部を開口している状態を開口状態とし、図１に示すように、見付け方向他方側に移動し開口部を閉鎖している状態を閉鎖状態とする。
【００１３】
枠体２は、見付け方向に延在する上枠２１および下枠２２（図３参照）と、高さ方向に延在し上枠２１および下枠２２それぞれの見付け方向の両端部に連結された一対の縦枠２３，２３（図１参照）と、を有している。
図４乃至図６に示すように、上枠２１は、開口部の縁部に固定された固定部２１１と、固定部２１１の室内側１２の端部から下方に突出する室外側レール２１２と、固定部２１１の室外側１１の端部から下方に突出する室内側レール２１３と、固定部２１１の見込み方向の中間部から下方に突出する中間レール２１４と、を有している。
室外側レール２１２と中間レール２１４との間には、外障子３（図３参照）が見付け方向に移動可能に配置され、室内側レール２１３と中間レール２１４との間には、内障子４（図５および図６参照）が見付け方向に移動可能に配置されている。なお、図５では、外障子３を省略している。
【００１４】
室内側レール２１３と中間レール２１４との間には、固定部２１１の下面に沿って風止め板５（図５参照）と、樹脂カバー６（図４参照）と、が設けられている。風止め板５は、室内側レール２１３と中間レール２１４との間における見付け方向の略中間部で、閉鎖状態の内障子４の召合せ框４３（図５参照）の直上（図１および図２の矢印Ａ１で示す範囲）に配置されている。樹脂カバー６は、室内側レール２１３と中間レール２１４との間における風止め板５よりも見付け方向一方側の略全体（図１および図２の矢印Ａ２で示す範囲）に配置されている。
【００１５】
固定部２１１は、板面が略水平面となり、見付け方向に延びる板状に形成されている。固定部２１１には、室内側レール２１３と中間レール２１４との間に、樹脂カバー６の上板部６１の爪部６１２および風止め板５の被係止片５１１を係止可能な係止部２１１ａが形成されている。
【００１６】
室外側レール２１２、室内側レール２１３、および中間レール２１４は、それぞれ板面が略見込み方向を向き、見付け方向に延びる板状に形成されている。
中間レール２１４の下端部近傍には、樹脂カバー６の第１側板部６２の爪部６２３を係止可能な係止部２１４ａが形成されている。
室内側レール２１３の下端部近傍には、樹脂カバー６の第２側板部６３の第１爪部６３２を係止可能な第１係止部２１３ａと、第２側板部６３の第２爪部６３３および風止め板５の爪部５３１を係止可能な第２係止部２１３ｂが形成されている。第１係止部２１３ａは、第２係止部２１３ｂの上側に間隔をあけて形成されている。
【００１７】
また、図６に示すように、第１係止部２１３ａおよび第２係止部２１３ｂは、風止め板５よりも見付け方向の他方側において、気密材を係止している。気密材は、室内側レール２１３から室外側１１に突出していて、室外側１１の先端部が内障子４の上框４１および縦框４４の上部側と当接することで、内障子４と室内側レール２１３との間から室内側１２に冷気が流入することを防止している。
【００１８】
図４に示すように、樹脂カバー６は、上枠２１の固定部２１１の下面に沿って配置される上板部６１と、上板部６１の室外側１１の端部から下方に延びる第１側板部（中間レールカバー部）６２と、上板部６１の室内側１２の端部から下方に延びる第２側板部６３と、を有している。第１側板部６２は、中間レール２１４の室内側１２に配置され、第２側板部６３は、室内側レール２１３の室外側１１に配置されている。
【００１９】
上板部６１は、板面が略水平面となる板状の基部６１１と、基部６１１の上面から突出し上枠２１の固定部２１１の係止部２１１ａに係止される爪部６１２と、基部６１１の上面から上方に突出し先端部が固定部２１１の下面と当接するリブ６１３と、基部６１１の下面から下方に突出し上板部６１の下側に配置される塞ぎ部材７を係止可能な一対の塞ぎ部材係止部６１４，６１４と、を有している。
上板部６１の基部６１１と上枠２１の固定部２１１との間には隙間Ｓ１が形成されていて、この隙間Ｓ１が断熱層を構成している。
上板部６１に係止される塞ぎ部材７は、中空に形成されていて断熱層を構成している。
【００２０】
第１側板部６２は、板面が見込み方向を向く略鉛直面となる板状の基部６２１と、基部６２１の下端部から室外側１１に突出する突出部６２２と、突出部６２２の上部側に形成され中間レール２１４の係止部２１４ａに係止される爪部６２３と、基部６２１の室外側１１の面から室外側１１に突出し先端部が中間レール２１４の室内側１２の面と当接する複数のリブ６２４，６２４…と、突出部６２２からさらに室外側１１に延びるヒレ部６２５と、を有している。
第１側板部６２の基部６２１と中間レール２１４との間には隙間Ｓ２が形成されていて、この隙間Ｓ２が断熱層を構成している。
【００２１】
突出部６２２は、中間レール２１４の下側に配置されていて、中間レール２１４の下端部を覆っている。突出部６２２は、内部に見付け方向に延びる空部６２２ａが形成された中空に形成されている。
ヒレ部６２５は、室外側１１の先端部が外障子３の上框３１と当接している。これにより、第１側板部６２に結露水が付着していたとしても、この結露水がヒレ部６２５を介して外障子３に移動するため、結露水が内障子４に付着することを防止できる。
【００２２】
第２側板部６３は、板面が見込み方向を向く略鉛直面となる板状の基部６３１と、基部６３１の室内側１２の面から突出し室内側レール２１３の第１係止部２１３ａに係止される第１爪部６３２と、基部６３１の室内側１２の面から突出し室内側レール２１３の第２係止部２１３ｂに係止される第２爪部６３３と、基部６３１の室内側１２の面から室内側１２に突出し先端部が室内側レール２１３の室外側１１の面と当接するリブ６３４と、を有している。
第２側板部６３の基部６２１と室内側レール２１３との間には隙間Ｓ３が形成されていて、この隙間Ｓ３が断熱層を構成している。
第２側板部６３の下端部は、室内側レール２１３の下端部と略同じ高さに配置されていて、室内側レール２１３の室内側１２に配置される室内側樹脂カバー１３と当接している。
【００２３】
図５、図７および図８に示すように、風止め板５は、上枠２１の固定部２１１（図５および図８参照）の下面に沿って配置される上板部５１と、上板部５１の室外側１１の端部から下方に延びる第１側板部５２と、上板部５１の室内側１２の端部から下方に延びる第２側板部５３と、上板部５１から垂下する複数の第１ヒレ部５４，５４…と、第１側板部５２から垂下する第２ヒレ部５５，５５…と、を有している。第１側板部５２は、中間レール２１４（図５および図８参照）の室内側１２に配置され、第２側板部５３は、室内側レール２１３（図５および図８参照）の室外側１１に配置されている。
【００２４】
上板部５１は、平面視形状が略長方形状に形成されていて、上枠２１の固定部２１１の下面に沿って配置されている。上板部５１には、上枠２１の固定部２１１の係止部２１１ａに係止される被係止片５１１が形成されている。
【００２５】
第１側板部５２は、板面が見込み方向を向く略鉛直面となる板状に形成された基部５２１と基部５２１の下部側から室外側１１に突出し中間レール２１４の下端部と係合する係合部５２２と、を有している。
基部５２１の見付け方向一方側の部分を第１基部５２１Ａとし、第１基部５２１Ａよりも見付け方向他方側の部分を第２基部５２１Ｂとすると、第１基部５２１Ａの方が第２基部５２１Ｂよりも下方に突出している。このため、基部５２１の下部側には見付け方向他方側に切欠き部５２３が形成されている。
係合部５２２は、第１基部５２１Ａの下部側からのみ突出するように設けられていて、第２基部５２１Ｂの下部側には設けられていない。第１基部５２１Ａの下端部と係合部５２２の下端部とは、ともに略水平面で面一となるように形成されている。
【００２６】
図８に示すように、第１側板部５２は、第１基部５２１Ａが中間レール２１４の室内側１２の面を高さ方向全体にわたって覆い、係合部５２２が中間レール２１４の下端部および室外側１１の面の下部側を覆い、第２基部５２１Ｂが中間レール２１４の室内側１２の面の上部側を覆っていて第２基部５２１Ｂの下側の切欠き部５２３が中間レール２１４の下部側の室内側１２の面２１４ｂを露出させている。
第１側板部５２には、第１基部５２１Ａの室内側１２の面の見付け方向一方側の端部近傍に、見付け方向一方側から他方側に向かって漸次室外側１１から室内側１２に傾斜する傾斜面５２４が形成されている。この傾斜面５２４は、樹脂カバー６の第１側板部５２の室内側１２の面と略段差なく連続している。
【００２７】
図５および図７に示すように、第２側板部５３は、板面が見込み方向を向く板状に形成されていて、室内側レール２１３の第１係止部２１３ａおよび第２係止部２１３ｂに係止される爪部５３１が形成されている。本実施形態では、第２側板部５３は、上枠２１に取り付けられる前には、図７に示すように板面が上側から下側に向かって漸次室外側１１から室内側１２に向かう傾斜面となるように傾斜していて、上枠２１に取り付けられると、図５に示すように室内側レール２１３に付勢されて板面が鉛直面となる向きとなり、爪部５３１が室内側レール２１３の第１係止部２１３ａと第２係止部２１３ｂとの間に挿入されている。
【００２８】
図７および図８に示すように、複数の第１ヒレ部５４，５４…は、それぞれ板面が見付け方向を向く薄板状の部材で、見付け方向に間隔をあけて配置されている。
複数の第１ヒレ部５４，５４…は、それぞれ室外側１１の端部が第１側板部５２の室内側１２の面と当接し、室内側１２の端部が第２側板部５３の室外側１１の面と当接している。複数の第１ヒレ部５４，５４…は、それぞれ下端部が閉鎖状態の内障子４の召合せ框４３（図５参照）の上端面と当接している。
【００２９】
複数の第２ヒレ部５５，５５…は、それぞれ板面が見付け方向を向く薄板状の部材で、見付け方向に間隔をあけて配置されている。複数の第２ヒレ部５５，５５…は、第１側板部５２の第１基部５２１Ａに取り付けられている。
第２ヒレ部５５，５５…は、それぞれ室内側１２の端部が第１側板部５２の室内側１２の面よりも室内側１２に突出し、室外側１１の端部が第１側板部５２の室外側１１の面よりも室外側１１に突出している。第２ヒレ部５５，５５…は、室内側１２の端部が内障子４の召合せ框４３の室外側１１の面と当接し、室外側１１の端部が外障子３の召合せ框３２（図１参照）の室内側１２の面と当接している。
【００３０】
図９に示すように、内障子４は、上框４１、下框４２、召合せ框４３、縦框（戸先框）４４とこれらの框４１〜４４の内側に組み込まれた複層ガラス４５と、を有している。
内障子４には、召合せ框４３の室外側の面の上端部近傍に第１振れ止め部材４６が設けられていて、縦框４４の室外側の面の上端部近傍に第２振れ止め部材４７が設けられている。
【００３１】
第１振れ止め部材４６は、図５に示すように内障子４が閉鎖状態の場合には、室外側１１の先端部が風止め板５の第１側板部５２の室内側１２の面と当接し、図１０に示すように内障子４が閉鎖状態から見付け方向一方側に移動した場合には、室外側１１の先端部が樹脂カバー６の第１側板部６２の室内側１２の面と当接するように、召合せ框４３からの突出寸法Ｌ１が設定されている。
【００３２】
第２振れ止め部材４７は、内障子４が閉鎖状態であっても開口状態であっても、図６に示すように常に室内側レール２１３の下端部近傍の室内側１２の面と当接している。第２振れ止め部材４７は、内障子４が開口状態となると、風止め板５の切欠き部５２３（図７）の内側（風止め板５の第２基部５２１Ｂの下側）に配置された状態で中間レール２１４の下部側の室内側１２の面２１４ｂ（図８参照）と当接している。
【００３３】
第２振れ止め部材４７は、室外側１１の先端部が中間レール２１４の室内側１２の面と当接するように縦框４４からの突出寸法Ｌ２が設定されている。
風止め板５の第１側板部５２および樹脂カバー６の第１側板部６２の室内側１２の面は、中間レール２１４の室内側１２の面よりも室内側１２に配置されていることにより、第１振れ止め部材４６の召合せ框４３からの突出寸法Ｌ１は、第２振れ止め部材４７の縦框４４からの突出寸法Ｌ２よりも小さくなるように設定されている。
【００３４】
次に、上述したサッシの作用・効果について図面を用いて説明する。
上述した本実施形態によるサッシ１では、樹脂カバー６が中間レール２１４の室内側１２の面と先端部とを覆っていることにより、室外の冷気によって中間レール２１４が冷やされた場合もその冷気が室内側１２に伝達されることが抑制されるため、中間レール２１４の室内側１２に生じる結露を抑制することができる。
また、第１振れ止め部材４６の召合せ框４３の室外側１１の面からの突出寸法Ｌ１は、第２振れ止め部材４７の縦框４４の室外側１１の面からの突出寸法Ｌ２よりも小さくなるように設定されていることにより、内障子４が開閉する際には、第１振れ止め部材４６が樹脂カバー６の第１側板部６２と当接しているとともに、第２振れ止め部材４７が中間レール２１４と当接している状態が維持されるため、中間レール２１４の下端部分が樹脂カバー６に覆われている場合でも、内障子４をスムーズに開閉することができる。
【００３５】
風止め板５の第１側板部５２の室内側１２の面は、樹脂カバー６の第１側板部６２の室内側１２の面と連続するように設けられていることにより、内障子４が開閉移動する際に、第１振れ止め部材４６が樹脂カバー６の第１側板部６２の端部や風止め板５の第１側板部５２の端部に引っ掛かることなくスムーズに移動することができる。
【００３６】
以上、本発明によるサッシの実施形態について説明したが、本発明は上記の実施形態に限定されるものではなく、その趣旨を逸脱しない範囲で適宜変更可能である。
例えば、上記の実施形態では、樹脂カバー６は、風止め板５の見付け方向一方側のみに設けられているが、風止め板５の見付け方向他方側にも設けられていてもよい。このような場合は、内障子４の縦框４４に設けられた振れ止めは、室外側１１の先端部が樹脂カバー６と当接するように形成されていることが好ましい。
また、上記の実施形態では、第１振れ止め部材４６が内障子４の召合せ框４３に設けられ、第２振れ止め部材４７が内障子４の縦框４４に設けられているが、第１振れ止め部材４６が上框４１の召合せ框４３近傍に設けられていて、第２振れ止め部材４７が上框４１の縦框４４近傍に設けられていてもよい。
【００３７】
また、上記の実施形態では、上枠２１の下側に風止め板５が設けられているが、設けられていなくてもよいし、樹脂カバー６と風止め板５とが一体に形成されていてもよい。
また、上記の実施形態では、風止め板５の第１側板部５２には、室内側１２の面の見付け方向一方側に傾斜面５２４が形成されているが、このような傾斜面５２４が形成されていなくてもよい。
また、上記の実施形態では、樹脂カバー６の第１側板部６２には、ヒレ部６２５が設けられているが、このようなヒレ部６２５が設けられていなくてもよい。
【符号の説明】
【００３８】
１  サッシ
２  枠体
３  外障子
４  内障子
５  風止め板
６  樹脂カバー
１１  室外側
１２  室内側
２１  上枠
４１  上框
４３  召合せ框
４４  縦框
４６  第１振れ止め部材
４７  第２振れ止め部材
６２  第１側板部（中間レールカバー部）
２１４  中間レール
【図１】
0006659354.tif 000002
【図２】
0006659354.tif 000003
【図３】
0006659354.tif 000004
【図４】
0006659354.tif 000005
【図５】
0006659354.tif 000006
【図６】
0006659354.tif 000007
【図７】
0006659354.tif 000008
【図８】
0006659354.tif 000009
【図９】
0006659354.tif 000010
【図１０】
0006659354.tif 000011